(57)【要約】【課題】筐体に電磁波発生装置をつけない、電池切れの心配が無いまたは電池の持ちがよい、剥れる事がない、リモコン捜索機能のついたリモコン装置を安価に提供すること。【解決手段】リモコン１０２を捜索する際、携帯電話１０１へ他の電話機から電話を掛けることにより、リモコン１０２のアンテナ回路１０３がその電波を受信しコイル１０４、検波手段１０５をとおして電力を警報手段１０６へ提供する。その結果、警報手段１０６より光または音が生じ、紛失したリモコンを簡単に見つけることが可能である。【選択図】図１
2007288632.tif 000002
【特許請求の範囲】
【請求項１】
アンテナと、
前記アンテナと接続されたコイルと、
前記コイルの出力を検波する検波手段と、
前記検波手段の出力を電源とし、音または光を発する警報手段とから構成されたリモコン装置。
【請求項２】
アンテナと、
前記アンテナと接続されたコイルと、
前記コイルの出力を検波する検波手段と、
電源と、
前記電源より電力が供給され、音または光を発する警報手段と、
前記電源より電力が供給され、前記検波手段の出力をトリガーとして低消費電力状態から抜けるマイコンと、
前記警報手段は前記マイコンから制御されるように構成されたリモコン装置。
【請求項３】
アンテナと、
前記アンテナと接続されたコイルと、
前記コイルの出力を検波する検波手段と、
電源と、
前記電源より電力が供給され、音または光を発する警報手段と、
前記電源より電力が供給され、前記検波手段の出力をトリガーとして低消費電力モードから抜けるマイコンと、
前記警報手段は前記マイコンから制御されるように構成されたリモコン装置であって、
前記マイコンに接続されたスイッチと、
赤外線を発する赤外線発生手段と、
前記スイッチが押されると所定のコードの信号を前記赤外線発生手段から送信し、その後前記タイマーにより一定期間は前記警報手段より音または光が発生しないよう処理するプログラムを格納したメモリと、
前記マイコンが前記プログラムを実行するように構成されたリモコン装置。
【請求項４】
アンテナと、
前記アンテナと接続されたコイルと、
前記コイルの出力を検波する検波手段と、
電源と、
前記電源より電力が供給され、音または光を発する警報手段と、
前記電源より電力が供給され、前記検波手段の出力をトリガーとして低消費電力モードから抜けるマイコンと、
前記警報手段は前記マイコンから制御されるように構成されたリモコン装置であって、
所定の信号パターンを記憶する記憶手段と、
前記記憶手段に記憶されたパターンと前記検波手段の出力のパターンを比較し
一致または類似であることを判別する、パターン判別手段とを備え、
前期マイコンは前記パターン判別手段の結果を用いて、前記警報手段を制御するように構成されたリモコン装置。
【請求項５】
アンテナと、
前記アンテナと接続されたコイルと、
前記コイルの出力を検波する検波手段と、
電源と、
前記電源より電力が供給され、音または光を発する警報手段と、
前記電源より電力が供給され、前記検波手段の出力をトリガーとして低消費電力モードから抜けるマイコンと、
前記警報手段は前記マイコンから制御されるように構成されたリモコン装置であって、
前記検波手段の出力の電圧を所定値と比較する比較手段とを備え、
前記比較手段により電圧が所定値より大きければ、前記警報手段より音または光を発することがないように制御することを特徴とするリモコン装置。
【請求項６】
アンテナと、
前記アンテナと接続されたコイルと、
前記コイルの出力を検波する検波手段と、
電源と、
前記電源より電力が供給され、音または光を発する警報手段と、
前記電源より電力が供給され、前記検波手段の出力をトリガーとして低消費電力モードから抜けるマイコンと、
前記警報手段は前記マイコンから制御されるように構成されたリモコン装置であって、
音の周波数を検出する音周波数検出手段を備え、前期音周波数検出手段が所定の周波数の音を検出しているときに前記警報手段から音または光を発するように制御するリモコン装置。
【発明の詳細な説明】
【技術分野】
【０００１】
本発明はテレビジョン機器（以下テレビと記載する）やオーディオビジュアル機器（以下ＡＶ機器と記載する）など家庭用電気製品に利用されるリモート・コントロール（以下リモコンと記載する）装置に関するものである。
【背景技術】
【０００２】
テレビやＡＶ機器のほとんどは機器本体の操作を離れた位置から操作できるようにリモコンを備えている。ところがこれらのリモコンは小型軽量に作られているため、おき忘れや紛失をしやすいという問題があった。このような問題を解決するために従来のリモコン装置の一例としてテレビ等の機器本体側から電波を発信してリモコン側で受信し音を鳴らす手法が提案されていた（例えば、特許文献１に記載）。
【０００３】
さらに、その他の一例として、電磁波に反応して音声が発生するシートをリモコンに貼り付ける手法も提案されている（例えば、特許文献２に記載）。
【０００４】
図８は特許文献１に記載された従来のリモコン装置を示すものである。図８において、リモコン捜索時はテレビ１のスイッチ２を押すとタイマ３により所定期間発信機４が発信しアンテナ５を通して電波を発する。リモコン６はアンテナ７を通して受信回路８により前記電波を受信すると、警報手段９から音がなるように構成されていた。
【０００５】
また、図９は特許文献２に記載された従来のリモコン装置の使用形態を示すものである。図９において、リモコン装置１０にシート状のケース１１に入った音声発生器を貼り付けた状態を示している。携帯電話１３からの電波を受信しケース１１内部のシート状スピーカ１４より音声を発生する。図１０はケース１１内部を示したブロック図である。リチウム電池等を用いた電源回路１５により電力が供給され、受信回路１６が携帯電話１３からの電波を受信すると音声信号が生じ、増幅器１７により増幅されスピーカ１４より音が発生するように構成されていた。
【特許文献１】特開平６−１６５２６７号公報
【特許文献２】特開２００２−１９６７７４号公報
【発明の開示】
【発明が解決しようとする課題】
【０００６】
しかしながら従来のリモコン装置は、特許文献１においては、テレビ側に電磁波発生装置を、リモコン側にはその電波を受信するための専用電磁波受信装置をといったように、テレビ側とリモコン側の双方に新たな部品を備える必要が有り、構成が複雑化するとともに、コストアップとなっていた。
【０００７】
また、特許文献２においては、シート状の小型電池を用いるため、電池がいつ切れるかわからないのに加えて電池が切れたことに気がつかず使い続けることにより、実際にリモコンを捜索したいときに作動しないことが有るという課題があった。また、シート状スピーカをリモコン筐体に貼り付けているため剥がれることがあるといった課題を有していた。
【０００８】
本発明は前記従来の課題を解決するもので、筐体に電磁波発生装置をつけない、電池切れの心配が無いまたは電池の持ちがよい、剥れる事がない、リモコン捜索機能のついたリモコン装置を安価に提供することを目的とする。
【課題を解決するための手段】
【０００９】
前記従来の課題を解決するために、本発明のリモコン装置は、アンテナと、前記アンテナと接続されたコイルと、前記コイルの出力を検波する検波手段と、前記検波手段の出力を電源とする警報手段とを有する。
【００１０】
本構成によって、リモコンのアンテナが携帯電話等の強い電波を受信するとコイルによって電圧が励起され検波手段によって直流電圧が得られる。この電圧によって警報手段から音が発生するのでリモコン位置が特定できる。
【００１１】
また、本発明のリモコン装置は、アンテナと、前記アンテナと接続されたコイルと、前記コイルの出力を検波する検波手段と、前記検波手段の出力をトリガーとして低消費電力モードから抜けるマイコンと前記マイコンから制御される警報手段とを有する。
【００１２】
本構成によって、検波手段の出力をマイコンの低消費電力モードから抜けるトリガーとして用いるため、アンテナが受信した電波が弱くてもよいと良いという効果を有する。
【００１３】
また、本発明のリモコン装置は、前記警報手段が光を発生するように構成されたものである。
【００１４】
本構成によって、警報手段から光が発生するのでリモコン位置が特定できるという効果を有する。
【００１５】
また、本発明のリモコン装置は、アンテナと、前記アンテナと接続されたコイルと、前記コイルの出力を検波する検波手段と、前記検波手段の出力をトリガーとして低消費電力モードから抜けるマイコンと前記マイコンから制御される警報手段と、前記マイコンに接続されたスイッチと、赤外線を発する赤外線発生手段と、前記スイッチが押されると所定のコードの信号を前記赤外線発生手段から送信し、その後一定期間は前記警報手段より音または光が発生しないよう処理するプログラムを前記マイコンで実行するように構成されたものである。
【００１６】
本構成によって、リモコンのスイッチによって、所定コードの信号がリモコン制御対象の機器に送られ、その後一定期間は携帯電話等の強い電波を受信しても警報手段が動作しないため頻繁に警報がなるといった誤動作を防止することができるという効果を有する。
【００１７】
また、本発明のリモコン装置は、アンテナと、前記アンテナと接続されたコイルと、前記コイルの出力を検波する検波手段と、前記検波手段の出力をトリガーとして低消費電力モードから抜けるマイコンと前記マイコンから制御される警報手段と、前記マイコンに接続されたスイッチと、赤外線を発する赤外線発生手段と、前記スイッチが押されると所定のコードの信号を前記赤外線発生手段から送信し、その後一定期間は前記警報手段より音または光が発生しないよう処理するプログラムを前記マイコンで実行するように構成されたものである。
【発明の効果】
【００１８】
本発明のリモコン装置によれば、リモコンにアンテナとコイルと検波手段と警報手段という安価な構成で、かつ、電源が不要または少ない電力で、紛失したリモコンが音または光により容易に見つけることのできるリモコン装置を提供することができる。
【発明を実施するための最良の形態】
【００１９】
以下本発明を実施するための最良の形態について、図面を参照しながら説明する。
【００２０】
（実施の形態１）
図１は本発明の実施の形態１におけるリモコン装置のブロック図である。また、図２は検波手段の回路図の例である。
【００２１】
図１において、携帯電話１０１はリモコン捜索時に用いる携帯電話であり、他の電話から呼び出しをかけ電話が鳴っている状態にしておく。リモコン１０２は本発明の実施の形態１におけるリモコン装置を示しており、図示してないが、機器のリモートコントロールに用いるスイッチや赤外線発生手段、制御用マイコンなどが格納されている。アンテナ１０３は携帯電話１０１が発する電波を受信するアンテナであり、携帯電話のキャリア周波数の波長をλとするとλ／４、λ／２等の長さにしておく。λ／４にすると通常９０ｃｍ前後の長さになり、一般的なテレビやオーディオ機器のリモコン装置内に納まる長さとなる。アンテナの材質は通常のリード線で問題ない。コイル１０４は同調手段であり、アンテナ１０３が受信した携帯電話１０１からの電波を受け両端に電圧を生じる。また、コイル１０４は必ずしも部品とした形態で必要ではなく、省略しても同様の効果が得られる。携帯電話の電波のような高周波は通常の配線のみでもインダクタ成分が無視できないためコイル１０４と明示した部品がなくとも配線のインダクタ成分により同調手段として機能するからである。よってコイル１０４はコイルに相当する働きをするもの（インダクタ成分を持つもの）を含んでいる。
【００２２】
検波手段１０５はコイル１０４の両端に生じた電圧を検波し電力として取り出せるようにするものである。警報手段１０６は検波手段１０５からの電力より光や音を発生するものである。発生する光はたとえば効率の高い発光ダイオード等を用いるとよい。音を発生させる場合はたとえば低消費電力の圧電ブザー等を用いるとよい。
【００２３】
図２は検波手段１０５の具体的な構成を示す図である。図２において（ａ）と（ｂ）のダイオード２０７は検波に用いるもので高周波特性の良いものを使うとよい。たとえばショットキーバリア型を用いる。コンデンサ２０８は検波された信号にピーク検波動作となるようにして電圧を安定化させるためのものである。図２における（ａ）は代表的な検波手段であり、構成は簡単だが片側整流であるため電圧は低く電力も多く取れない。（ｂ）は両側整流として取り出せ、効率を２倍近くにするものである。
【００２４】
リモコン１０２を捜索する際、携帯電話１０１へ他の電話機から電話を掛けることにより、携帯電話１０１から受信の際の基地局への電波が送信される。リモコン１０２のアンテナ回路１０３がその電波を受信しコイル１０４、検波手段１０５をとおして電力を警報手段１０６へ提供する。その結果、警報手段１０６より光または音が生じ、紛失したリモコンを簡単に見つけることが可能である。また、受信に必要な電力や警報手段１０６を駆動する電力は受信した電波の電力のみを用いているため、特別に電源が必要とならず、その結果、知らないうちに電池がなくなっているという問題も生じない。さらに構成がシンプルで安価な部品のみで構成できるため、通常のリモコンに十分入り、安価に実現が可能である。
【００２５】
なお、コイル１０４は２タップのものを記載したが、中間タップを有するものにして中間タップをグランド端子として用いコイル両端からダイオードで検波してもよい。その場合は両波整流となり効率がよいことはいうまでもない。
【００２６】
（実施の形態２）
図３は本発明の実施の形態２におけるリモコン装置のブロック図である。図３において実施の形態１と同様の機能を果たす構成要素は同一の参照符号を付し説明を省略する。図３において電源１０８はリモコンの電源であり、警報手段１０６、後述するマイコン１０７へ電力を供給する。マイコン１０７は検波手段からの入力を受け取ると割り込みが生じるようになっている。
【００２７】
ところで、一般の組み込み機器用マイコンは待機電力を削減するために、低消費電力モード（スリープモードと称していることもある）を有していることが多い。これは、クロックを停止もしくはスロー発振状態とすることで、消費電力を大幅に低減させる機能である。この状態からの復帰は通常、特定Ｉ／Ｏや割り込み等をトリガーとして行なわれる仕様となっている。
【００２８】
リモコン１０２のマイコン１０７も通常時は上記した低消費電力モードとなっており、ユーザーがリモコン操作をしようと、スイッチ（図示せず）を押すと割り込みがかかり、これをトリガーとして通常モードへ復帰するように構成されている。復帰後ソフトウエアにより、赤外線送信手段（図示せず）へリモートコントロールコードを出力するよう制御がなされる。
【００２９】
リモコン捜索時に携帯電話１０１を鳴らすと、そのときの電波はリモコン１０２内のアンテナ１０３、コイル１０４、検波手段１０５を通して、電圧に変換され、マイコン１０７にトリガー信号となって供給される。ここまでは携帯電話１０１の発した電波の電力で行われる。一方、電源１０８より電力を供給されるマイコン１０７は前記トリガー信号により低消費電力状態から抜け、通常動作モードへ移行する。以降後ソフトウエアにより携帯電話１０１からの電波が検出されたことを認識し、警報手段１０６より音または光を発するよう制御を行なう。
【００３０】
以上説明したように本実施の形態では、携帯電話から検出した電波の電力は、光や音を発するために消費されるのではなく、マイコンのトリガーとして用いるのみであるため、微弱電波でも十分であるという有利な効果が得られる。
【００３１】
また、検出そのものは実施の形態１と同様に携帯電話の電波を用いているため待機時の電池の消費は従来のリモコンと同程度であり、電池の消費がを抑えることができるという有利な効果が得られる。
【００３２】
また、電源をリモコン電池と共用しているので、使用者が気づかないうちに電池がなくなっており、探したいときにリモコン電池がなくなっており警報手段が稼動せず、リモコンを探すことができないということが起こらないという有利な効果が得られる。
【００３３】
（実施の形態３）
図４は本発明の実施の形態３におけるリモコン装置のブロック図である。図４において実施の形態１または２と同様の機能を果たす構成要素は同一の参照符号を付し説明を省略する。図４において赤外線発生手段１０９はテレビなどのリモート機器を制御するために赤外線を用いて、キャリア上にモートコントロールコードを変調し送信するものである。スイッチ１１０はユーザーがリモコン操作する際に押すものであり、マイコン１０７で押し下げ状態を感知できるようになっている。また、タイマ１１１が備えられており、マイコン１０７はタイマ１１１にアクセスすることで、スイッチ１１０の押し下げから所定時間を計測できるようになっている。
【００３４】
以上のように構成された本実施の形態においてその動作を説明する。リモコン捜索時に携帯電話１０１を鳴らすと、そのときに携帯電話１０１から発せられる電波はリモコン１０２内のアンテナ１０３、コイル１０４、検波手段１０５を通して、電圧に変換され、マイコン１０７にトリガー信号となって供給される。ここまでは携帯電話１０１の発した電波の電力で行われる。
【００３５】
一方、電源１０８より電力を供給されるマイコン１０７は、通常時は前記トリガー信号により低消費電力状態から抜け、通常動作モードへ移行する。その後マイコン１０７が携帯電話１０１からの電波が検出されたことを認識し、警報手段１０６より音または光を発するよう制御を行なう。しかし、後述した条件下では前記トリガー信号を受け付けず警報手段１０６から音または光を発しないようにしている。
【００３６】
以下にトリガー信号を受け付けない場合について説明する。通常、ユーザーがリモート機器を操作しようとスイッチ１１０を押すと、マイコン１０７のソフトウエアによって、スイッチ１１０の押し下げを検知し、所定のリモートコントロールコードを赤外線送信手段１０９から出力するよう制御がおこなわれる。その際に、マイコン１０７はスイッチ１１０の押し下げからタイマ１１１を用いて時間計測も行い所定時間の間は検波手段１０５からのトリガー信号を受け付けないよう処理を行う。たとえば処理の一例として下記のような方法がある。スイッチ１１０の押し下げを検出した際に、前記トリガー信号が無効となる設定を行う。その後前記した一連のリモート制御動作を行い、低消費電力モードへ移行する。タイマ１１１がスイッチを押し下げてから所定の時間を計測したことをマイコン１０７が検知すると、タイマー割り込みにより低消費電力モードから復帰しタイマ１１１をリセット後、前記トリガー信号を有効とする。その後、再び低消費電力モードへ移行する。
【００３７】
以上説明したように本実施の形態ではリモコン操作後一定時間経過しないと携帯電話からの電波に反応しないため、ユーザーがリモコンを使用している時及びその後一定時間の間は警報手段が稼動することは無く、リモコン操作中に近くの携帯電話に反応するといった不都合が生じないという効果が得られる。
【００３８】
（実施の形態４）
図５は本発明の実施の形態４におけるリモコン装置のブロック図である。図５において実施の形態１または２と同様の機能を果たす構成要素は同一の参照符号を付し説明を省略する。図５において記憶手段１１２はある特定の信号パターンを記憶するものであり、マイコン１０７で実行するソフトウエア上で参照可能になっている。パターン判別手段１１３は検波手段１０５からの出力信号パターンと記憶手段１１２に記憶されている信号パターンを比較し一致、あるいは類似であることを判別する手段である。マイコン１０７上のソフトウエアでは検波手段１０５からの出力信号が得られたら前記判別を行い警報手段１０６を制御する。
【００３９】
通常携帯電話のキャリア周波数はメーカー間の方式などでさまざまであるが、検波後では平滑化されるためそれらの周波数は問題にはならない。しかし、基地局と携帯電話間では所定のプロトコルにしたがって送受信が行われるため、着信時や通話時メール受信時などで、検波後の信号波形に違いが生じる。本実施の形態ではこの違いを利用して誤動作を防止するのが狙いである。本実施の形態では、予め反応させたい携帯電話を用意し、たとえば着信時に反応するようにしたければ着信時の検波出力パターンを記憶手段１１２に記憶させておく。
【００４０】
一方、リモコン１０２が携帯電話１０１から電波を受信した場合には、アンテナ１０３、コイル１０４、検波手段１０５を通して、電圧に変換された信号波形と、記憶手段１１２に記憶されている検波出力パターンとパターン判別手段１１３にて比較する。そして、上述の電圧に変換された信号波形と記憶手段１１２に記憶されている検波出力パターンが一致した場合は警報手段１０６を稼動させるとともに、一致しなかった場合は警報手段１０６を稼動させないように、マイコン１０７が警報手段１０６を制御する。
【００４１】
以上説明したように本実施の形態ではリモコン捜索に用いる受信パターンに制約をもたせることで所望の携帯電話以外の携帯電話での電波に反応することのないリモコン装置が得られる。
【００４２】
なお実施の形態３の構成とともに本実施の形態を構成した場合でもそれぞれの効果が得られることはいうまでもない。
【００４３】
（実施の形態５）
図６は本発明の実施の形態５におけるリモコン装置のブロック図である。図６において実施の形態１または２と同様の機能を果たす構成要素は同一の参照符号を付し説明を省略する。図６において振幅比較手段１１４は検波手段１０５からの信号振幅を所定の値と比較し、信号振幅の方が大きいときは警報手段１０６を鳴らさないもしくは光らせないよう制御をおこなうものである。
【００４４】
通常携帯電話はユーザーが携帯しており、一方、テレビ視聴時などはリモコンを手元においている。携帯電話１０１の着信などがあったときでも、携帯電話１０１とリモコン１０２が近くにある場合、即ち、リモコン１０２はユーザーの近くに有る場合は、ユーザーがリモコン１０２の場所を認識している可能性が高い。この場合は、検波手段１０５からの信号振幅が大きくなる。本実施の形態では、検波手段１０５からの信号振幅が所定の値より大きい場合は、マイコン１０７が警報手段１０６を稼動させないように制御する。
【００４５】
以上説明したように本実施の形態では、ユーザーがリモコン１０２の位置を認識しているにもかかわらず、警報手段１０６が反応してしまうことを防止したリモコン装置が得られる。
【００４６】
なお実施の形態３、実施の形態４の構成とともに本実施の形態を構成した場合でもそれぞれの効果が得られることはいうまでもない。
【００４７】
（実施の形態６）
図７は本発明の実施の形態６におけるリモコン装置のブロック図である。図７において実施の形態１または２と同様の機能を果たす構成要素は同一の参照符号を付し説明を省略する。図７においてマイクロフォン１１５は、外部の音を電気信号に変換するものである。音周波数判別手段１１６はマイクロフォン１１５からの電気信号が所定の周波数の信号であるかどうかを判別し、真か偽を出力する手段である。マイコン１０７は、前記判別の結果が真の場合のみ、警報手段１０６を制御する。
【００４８】
リモコン１０２捜索時は予めリモート機器側（たとえばテレビ等）から所定の周波数の音を出力させておく。たとえば連続した１５８０Ｈｚの正弦波を出力させる。この信号は通常生活時には発生する可能性の低い周波数の音を選ぶと良い。その間、着信状態の携帯電話１０１を用いてリモコン１０２の捜索を行う。リモコン１０２では携帯電話１０１からの電波を受信し検波手段１０５からの信号を検出するとともに、リモコン１０２のマイクロフォン１１５を通して電気信号に変換されたリモート機器からの音を音周波数判別手段１１６によって１５８０Ｈｚの信号かどうかを判別する。その結果、真であると判断するため警報手段１０６より音または光が発する。よってリモコン１０２を見つけることができる。一方、リモート機器側から所定の周波数の音が発せられてなければたとえ検波手段１０５より信号が入ってきても警報手段１０６より音または光が発せられることはない。以上より、リモコン捜索時のみリモート機器より所定の周波数の音を発するようにすれば、携帯電話１０１から電波が発せられており、且つ、リモート機器より所定の周波数の音を発するときのみ警報手段１０６が稼動するため、誤動作のすくないリモコン捜索機能のついたリモコン装置を提供することができる。
【００４９】
なお、本実施の形態では音を所定の周波数としたが、所定パターンの音としてもよく、その場合音周波数判別手段１１６は所定パターンの音かどうかを判別するように構成させればよいことは言うまでもない。
【００５０】
なお、リモコン１０２の捜索が終了した場合、リモート機器側から依然として音が発生されているが、リモコン１０２よりリモート機器操作が行われた場合その音を消すようにすればさらに便利であることはいうまでもない。
【００５１】
なお実施の形態３乃至実施の形態５の構成とともに本実施の形態を構成した場合でもそれぞれの効果が得られることはいうまでもない。
【産業上の利用可能性】
【００５２】
本発明にかかるリモコン装置は、たとえリモコンを紛失してしまっても携帯電話の電波に反応して音または光が発生し、その検出に用いるための電力は電波より得られるため低消費電力であるので、リモコン捜索機能のついたリモコン装置として有用である。
【図面の簡単な説明】
【００５３】
【図１】本発明の実施の形態１におけるブロック図
【図２】検波手段の具体的構成を示す回路図
【図３】本発明の実施の形態２におけるブロック図
【図４】本発明の実施の形態３におけるブロック図
【図５】本発明の実施の形態４におけるブロック図
【図６】本発明の実施の形態５におけるブロック図
【図７】本発明の実施の形態６におけるブロック図
【図８】従来のリモコン装置の一例を示すブロック図
【図９】従来のリモコン装置における使用形態を示した図
【図１０】従来のリモコン装置の他の一例を示すブロック図
【符号の説明】
【００５４】
１０１    携帯電話
１０２    リモコン
１０３    アンテナ
１０４    コイル
１０５    検波手段
１０６    警報手段
２０７    ダイオード
２０８    コンデンサ
１０７    マイコン
１０８    電源
１０９    赤外線発生手段
１１０    スイッチ
１１１    タイマ
１１２    記憶手段
１１３    パターン判別手段
１１４    振幅比較手段
１１５    マイクロフォン
１１６    音周波数判別手段
【図１】
2007288632.tif 000003
【図２】
2007288632.tif 000004
【図３】
2007288632.tif 000005
【図４】
2007288632.tif 000006
【図５】
2007288632.tif 000007
【図６】
2007288632.tif 000008
【図７】
2007288632.tif 000009
【図８】
2007288632.tif 000010
【図９】
2007288632.tif 000011
【図１０】
2007288632.tif 000012